(57)【要約】【課題】データの送信時間を短くする。【解決手段】画像データにおいて、最も発生頻度が高いインク吐出量の画像ドットを示すドットデータ要素、及び、２番目に発生頻度が高いインク吐出量の画像ドットを示すドットデータ要素が、上位ビットにおいて同じ値をとる。データブロック生成部３２が、画像データに係る全てのドットデータ要素における、上位ビットのビットデータが連続して配列されているとともに、下位ビットのビットデータが連続して配列されているデータブロックを生成する。データ圧縮部３３が、データブロックをランレングス方式でデータ圧縮して圧縮ファイルを生成する。ＵＳＢコントローラ３４が圧縮ファイルをインクジェットプリンタ１０１に送信する。【選択図】図１
2009012245.tif 000002
【特許請求の範囲】
【請求項１】
被記録媒体にインク滴を吐出することによって被記録媒体に画像を記録するインクジェット記録装置に、前記被記録媒体に記録すべき画像に関するデータを送信するデータ送信装置であって、
前記記録すべき画像に関する画像データを記憶する記憶手段と、
前記画像データが、前記記録すべき画像を構成する複数の画像ドットそれぞれのインク吐出量を複数ビットのビット配列で示す複数のドットデータ要素を有しており、前記画像データにおいて最も発生頻度が高いインク吐出量の前記画像ドットを示す前記ドットデータ要素と、２番目に発生頻度が高いインク吐出量の前記画像ドットを示す前記ドットデータ要素とが、前記ビット配列中の同じ桁において互いに同じ値をとる１又は複数の共通ビットを有しており、前記画像データに含まれる複数の前記ドットデータ要素について、少なくとも１つの前記共通ビットと前記ビット配列中の同じ桁のビットが、連続して配列されたデータブロックを、前記記憶手段に記憶された前記画像データから生成する生成手段と、
前記生成手段が生成したデータブロックを圧縮する圧縮手段と、
前記圧縮手段が生成した圧縮ファイルを前記インクジェット記録装置に送信する送信手段とを備えていることを特徴とするデータ送信装置。
【請求項２】
前記ドットデータ要素が、前記画像ドットに係る４つのインク吐出量のいずれであるかを２ビットで示しており、
前記共通ビットが、前記ドットデータ要素の最上位ビット及び最下位ビットのいずれかであることを特徴とする請求項１に記載のデータ送信装置。
【請求項３】
被記録媒体にインク滴を吐出することによって被記録媒体に画像を記録するインクジェット記録装置に、前記被記録媒体に記録すべき画像に関するデータを送信するようにコンピュータを機能させるプログラムであって、
前記記録すべき画像に関する画像データを記憶する記憶手段、
前記画像データが、前記記録すべき画像を構成する複数の画像ドットそれぞれのインク吐出量を複数ビットのビット配列で示す複数のドットデータ要素を有しており、前記画像データにおいて最も発生頻度が高いインク吐出量の前記画像ドットを示す前記ドットデータ要素と、２番目に発生頻度が高いインク吐出量の前記画像ドットを示す前記ドットデータ要素とが、前記ビット配列中の同じ桁において互いに同じ値をとる１又は複数の共通ビットを有しており、前記画像データに含まれる複数の前記ドットデータ要素について、少なくとも１つの前記共通ビットと前記ビット配列中の同じ桁のビットが、連続して配列されたデータブロックを、前記記憶手段に記憶された前記画像データから生成する生成手段、
前記生成手段が生成したデータブロックを圧縮する圧縮手段、及び、
前記圧縮手段が生成した圧縮ファイルを前記インクジェット記録装置に送信する送信手段としてコンピュータを機能させることを特徴とするプログラム。
【発明の詳細な説明】
【技術分野】
【０００１】
本発明は、画像に関するデータをインクジェット記録装置に送信するデータ送信装置及びプログラムに関する。
【背景技術】
【０００２】
インクジェットプリンタによる印刷画像の高解像度化が進むに伴って、インクジェットプリンタが取り扱う画像データの大容量化が進んでいる。一方、用紙の搬送方向に直交する方向に関して搬送された用紙を横切るように延在するライン式のインクジェットヘッドを有するインクジェットプリンタのように（例えば、特許文献１参照）、高速印刷を行うインクジェットプリンタにおいては、画像データの送信時間を短くする必要がある。そこで、画像データを圧縮してインクジェットプリンタに送信することによって、データの転送量を少なくして画像データの送信時間を短くすることが行われている。
【０００３】
【特許文献１】特開２００７−００８１７５号公報（図６）
【発明の開示】
【発明が解決しようとする課題】
【０００４】
画像データにおいては、画像ドットそれぞれのインク吐出量を複数ビットのビット配列で示すドットデータ要素が配列されている。各ドットデータ要素のビット配列においては同じ値のビットが連続していることが少ないため、画像データにおいて互いに隣接するビット同士の間ではビットの値の異なる頻度が高くなり、画像データの圧縮効率が低下することがある。この結果、データの送信時間が長くなる。
【０００５】
そこで、本発明は、データの送信時間を短くすることができるデータ送信装置及びプログラムを提供することを目的とする。
【課題を解決するための手段】
【０００６】
本発明のデータ送信装置は、被記録媒体にインク滴を吐出することによって被記録媒体に画像を記録するインクジェット記録装置に、前記被記録媒体に記録すべき画像に関するデータを送信するデータ送信装置であって、前記記録すべき画像に関する画像データを記憶する記憶手段と、前記画像データが、前記記録すべき画像を構成する複数の画像ドットそれぞれのインク吐出量を複数ビットのビット配列で示す複数のドットデータ要素を有しており、前記画像データにおいて最も発生頻度が高いインク吐出量の前記画像ドットを示す前記ドットデータ要素と、２番目に発生頻度が高いインク吐出量の前記画像ドットを示す前記ドットデータ要素とが、前記ビット配列中の同じ桁において互いに同じ値をとる１又は複数の共通ビットを有しており、前記画像データに含まれる複数の前記ドットデータ要素について、少なくとも１つの前記共通ビットと前記ビット配列中の同じ桁のビットが、連続して配列されたデータブロックを、前記記憶手段に記憶された前記画像データから生成する生成手段と、前記生成手段が生成したデータブロックを圧縮する圧縮手段と、前記圧縮手段が生成した圧縮ファイルを前記インクジェット記録装置に送信する送信手段とを備えている。
【０００７】
本発明のプログラムは、被記録媒体にインク滴を吐出することによって被記録媒体に画像を記録するインクジェット記録装置に、前記被記録媒体に記録すべき画像に関するデータを送信するようにコンピュータを機能させるプログラムであって、前記記録すべき画像に関する画像データを記憶する記憶手段、前記画像データが、前記記録すべき画像を構成する複数の画像ドットそれぞれのインク吐出量を複数ビットのビット配列で示す複数のドットデータ要素を有しており、前記画像データにおいて最も発生頻度が高いインク吐出量の前記画像ドットを示す前記ドットデータ要素と、２番目に発生頻度が高いインク吐出量の前記画像ドットを示す前記ドットデータ要素とが、前記ビット配列中の同じ桁において互いに同じ値をとる１又は複数の共通ビットを有しており、前記画像データに含まれる複数の前記ドットデータ要素について、少なくとも１つの前記共通ビットと前記ビット配列中の同じ桁のビットが、連続して配列されたデータブロックを、前記記憶手段に記憶された前記画像データから生成する生成手段、前記生成手段が生成したデータブロックを圧縮する圧縮手段、及び、前記圧縮手段が生成した圧縮ファイルを前記インクジェット記録装置に送信する送信手段としてコンピュータを機能させる。
【０００８】
これら本発明によると、画像データに含まれる複数のドットデータ要素について、共通ビットとビット配列中の同じ桁のビットが連続して配列されたデータブロックが生成される。これにより、データブロックにおいて同じ値のビットが連続して配置される頻度が高くなり、データブロックを効率良く圧縮することができる。このため、インクジェット記録装置に対するデータの転送時間を短縮することができる。
【０００９】
本発明においては、前記ドットデータ要素が、前記画像ドットに係る４つのインク吐出量のいずれであるかを２ビットで示しており、前記共通ビットが、前記ドットデータ要素の最上位ビット及び最下位ビットのいずれかであってもよい。
【発明を実施するための最良の形態】
【００１０】
以下、本発明の好適な実施の形態について、図面を参照しつつ説明する。
【００１１】
図１は、本発明に係る好適な実施形態のデータ送信装置である制御装置の機能ブロック図である。図１に示すように、制御装置１６は、ＰＣ（パーソナルコンピュータ）上で起動する制御プログラムによって実現される。なお、ＰＣは、ＣＰＵ（Central Processing Unit）、ＲＯＭ（Read Only Memory）、ＲＡＭ（Random Access Memory）、ＨＤＤ（Hard disk drive）などを含んでおり、ＣＰＵが制御プログラムを実行することによって、後述する制御装置１６の各機能部を実現する。また、制御装置１６は、インクジェットプリンタ１０１を制御するものであり、インクジェットプリンタ１０１とＵＳＢ（Universal Serial Bus）を介して通信可能に接続されている。また、制御装置１６は外部から取り込んだ、インクジェットプリンタ１０１において用紙Ｐ（図２参照）に印刷すべき画像に係る画像データブロック（データブロック）を圧縮してインクジェットプリンタ１０１に送信する（データ送信装置としての機能）とともに、ユーザからの指示に基づいて当該画像ファイルに係る画像が印刷されるように、インクジェットプリンタ１０１を制御する。なお、以下の説明においては、制御装置１６のデータ送信装置としての機能を中心に説明する。
【００１２】
まず、図２を参照しつつ、制御装置１６の制御対象であるインクジェットプリンタ１０１について説明する。図２は、インクジェットプリンタ１０１の全体的な構成を示す概略側面図である。図２に示すように、インクジェットプリンタ１０１は、４つのインクジェットヘッド１を有するカラーインクジェットプリンタである。このインクジェットプリンタ１０１には、図中左方に給紙部１１が、図中右方に排紙部１２がそれぞれ構成されている。
【００１３】
インクジェットプリンタ１０１の内部には、給紙部１１から排紙部１２に向かって用紙（被記録媒体）Ｐが搬送される用紙搬送経路が形成されている。給紙部１１のすぐ下流側には、用紙を狭持搬送する一対の送りローラ５ａ、５ｂが配置されている。用紙搬送経路の中間部には、２つのベルトローラ６、７と、両ローラ６、７の間に架け渡されるように巻き回されたエンドレスの搬送ベルト８と、搬送ベルト８によって囲まれた領域内においてインクジェットヘッド１と対向する位置に配置されたプラテン１５とを含むベルト搬送機構（搬送装置）１３が設けられている。プラテン１５は、インクジェットヘッド１と対向する領域において搬送ベルト８が下方に撓まないように搬送ベルト８を支持するものである。ベルトローラ７と対向する位置には、ニップローラ４が配置されている。ニップローラ４は、給紙部１１から送りローラ５ａ、５ｂによって送り出された用紙Ｐを搬送ベルト８の外周面８ａに押さえ付ける。
【００１４】
図示しない搬送モータがベルトローラ６を回転させることによって、搬送ベルト８が駆動される。これにより、搬送ベルト８が、ニップローラ４によって外周面８ａに押さえ付けられた用紙Ｐを粘着保持しつつ排紙部１２に向けて搬送する。
【００１５】
用紙搬送経路に沿った搬送ベルト８のすぐ下流側には、剥離機構１４が設けられている。剥離機構１４は、搬送ベルト８の外周面８ａに粘着されている用紙Ｐを外周面８ａから剥離して、図中左方の右方の排紙部１２に向けて送るように構成されている。
【００１６】
４つのインクジェットヘッド１は、４色のインク（マゼンタ、イエロー、シアン、ブラック）に対応して、搬送方向に沿って４つ並べて設けられている。つまり、このインクジェットプリンタ１０１は、ライン式プリンタである。４つのインクジェットヘッド１は、その下端にヘッド本体２をそれぞれ有している。ヘッド本体２は、搬送された用紙Ｐを搬送方向に直交する方向に横切るように延在した長尺な細長い直方体形状となっている。また、ヘッド本体２の底面が外周面８ａに対向するインク吐出面２ａとなっている。搬送ベルト８によって搬送される用紙Ｐが４つのヘッド本体２のすぐ下方側を順に通過する際に、この用紙Ｐの上面すなわち印刷面に向けてインク吐出面２ａから各色のインクが吐出されることで、用紙Ｐの印刷面に所望のカラー画像を形成できるようになっている。
【００１７】
次に、図３及び図４を参照しつつインクジェットヘッド１について詳細に説明する。図３は、インクジェットヘッド１の平面図である。図４は、図３の一点鎖線で囲まれた領域の拡大図である。なお、図４では説明の都合上、アクチュエータユニット２１の下方にあって破線で描くべき圧力室１１０、アパーチャ１１２及びノズル１０８を実線で描いている。インクジェットヘッド１は、ヘッド本体２と、ヘッド本体２の上面（搬送ベルト８の反対側の面）に配置されていると共に、ヘッド本体２にインクを供給するリザーバユニット（図示せず）とを有している。
【００１８】
図３及び図４に示すように、ヘッド本体２は、流路ユニット９、及び、流路ユニット９の上面（搬送ベルト８の反対側の面）９ａに固定された４つのアクチュエータユニット２１を含んでいる。流路ユニット９は、平面形状を有する直方体形状となっている。流路ユニット９の上面９ａには、リザーバユニットからインクが供給される計１０個のインク供給口１０５ｂが開口している。また、流路ユニット９内には、インク供給口１０５ｂに連通するマニホールド流路１０５及びマニホールド流路１０５から分岐した副マニホールド流路１０５ａと、副マニホールド流路１０５ａの出口から圧力室１１０を経てノズル１０８に至る多数の個別インク流路とが形成されている。そして、流路ユニット９の下面（搬送ベルト８側の面）には、多数のノズル１０８がマトリクス状に配置されたインク吐出面２ａが形成されている。
【００１９】
流路ユニット９におけるインクの流れについて説明する。リザーバユニットからインク供給口１０５ｂを介して流路ユニット９内に供給されたインクは、マニホールド流路１０５から副マニホールド流路１０５ａに分岐される。副マニホールド流路１０５ａ内のインクは、各個別インク流路１３２に流れ込み、絞りとして機能するアパーチャ１１２及び圧力室１１０を介してノズル１０８に至る。
【００２０】
次に、アクチュエータユニット２１について説明する。図３に示すように、４つのアクチュエータユニット２１は、それぞれ台形の平面形状を有しており、インク供給口１０５ｂを避けるよう千鳥状に配置されている。さらに、各アクチュエータユニット２１の平行対向辺は流路ユニット９の長手方向に沿っており、隣接するアクチュエータユニット２１の斜辺同士は流路ユニット９の幅方向（副走査方向）に沿って互いにオーバーラップしている。
【００２１】
アクチュエータユニット２１は、各圧力室１１０に対応した複数のアクチュエータを含んでおり、圧力室１１０内のインクに選択的に吐出エネルギーを付与する機能を有する。具体的には、アクチュエータユニット２１は、強誘電性を有するチタン酸ジルコン酸鉛（ＰＺＴ）系のセラミックス材料からなる３枚の圧電シートから構成されている。各圧電シートは、いずれも複数の圧力室１１０に跨るサイズを有した連続平板である。最上層の圧電シート上における圧力室１１０に対向する位置には、個別電極が形成されている。最上層の圧電シートとその下側の圧電シートとの間にはシート全面に形成された共通電極が介在している。
【００２２】
共通電極はすべての圧力室１１０に対応する領域において等しくグランド電位が付与されている。一方、個別電極は図示しないドライバＩＣからの駆動信号が選択的に入力されるようになっている。このように、アクチュエータユニット２１において、個別電極と圧力室１１０とで挟まれた部分が、個別のアクチュエータとして働き、圧力室１１０の数に対応した複数のアクチュエータが作り込まれている。
【００２３】
ここで、アクチュエータユニット２１の駆動方法について述べる。アクチュエータユニット２１は、圧力室１１０から離れた上側１枚の圧電シートを活性層とし、且つ圧力室１１０に近い下側２枚の圧電シートを非活性層とした、いわゆるユニモルフタイプのアクチュエータである。個別電極にパルスを出力することにより、これに対応する圧電シートが変形して圧力室１１０内のインクに圧力（吐出エネルギー）が付与され、ノズル１０８からインク滴が吐出される。
【００２４】
次に、図５を参照しつつ、インク吐出面２ａにおけるノズル１０８の位置について説明する。図５はノズル１０８の位置関係を示したインク吐出面２ａの部分拡大平面図である。なお、図５の左右方向が主走査方向（搬送方向に直交する方向）となっており、上下方向が副走査方向（搬送方向）となっている。さらに、図５においては、説明の都合上、主走査方向及び副走査方向の縮尺を変更している。
【００２５】
図５に示すように、インク吐出面２ａにおいて、ノズル１０８が、主走査方向及び副走査方向に関してマトリックス状に配置されている。具体的には、各ノズル１０８が、主走査方向に沿って互いに平行に延在する１６本の仮想線のいずれかの上に配置されている。そして、互いに異なる仮想線上に配置しているとともに、主走査方向に関して互いに重なり合うことなく配列している１６個ノズル１０８が、主走査方向解像度の最高解像度である６００ｄｐｉで画像形成するの基本単位を形成している。ノズル１０８は、この基本単位が主走査方向に連続するように配置されている。上述したように、インクジェットヘッド１においては、４つのアクチュエータユニット２１が配置されており、各アクチュエータユニット２１の下方において、ノズル１０８が、主走査方向に関して６６４個（＃１〜＃６６４）配列されている。４つの各アクチュエータユニット２１に対応する６６４個のノズル１０８がノズル群ｕ１〜ｕ４を形成している。したがって、各インクジェットヘッド１のインク吐出面２ａには、４つのノズル群ｕ１〜ｕ４のノズル１０８、すなわち、６６４×４＝２６５６個のノズル１０８が開口している。
【００２６】
さらに、１つのノズル１０８の主走査方向に関して隣接している２つのノズル１０８が、副走査方向に関する上方又は下方（搬送方向に関する上流側又は下流側）のいずれかに配置されている。つまり、ノズル１０８が主走査方向に沿って千鳥状に配置されている。これにより、流路ユニット９において、ノズル１０８を含む個別インク流路を高密度に配置することができる。
【００２７】
図１に戻って、制御装置１６について説明する。制御装置１６は、画像記憶部３１と、データブロック生成部（生成手段）３２と、データ圧縮部（圧縮手段）３３と、ＵＳＢコントローラ（送信手段）３４とを有している。画像記憶部３１は、インクジェットプリンタ１０１において用紙Ｐに印刷すべき画像に係る画像データを記憶するものである。この画像データは、メモリーカード（図示せず）などを介して外部から供給される。データブロック生成部３２は、画像記憶部３１に記憶された画像データに基づいて、送信用のデータブロックを生成するものである。データ圧縮部３３は、データブロック生成部３２が生成したデータブロックをランレングス方式によりデータ圧縮するものである。ＵＳＢコントローラ３４は、データ圧縮部３３が生成した圧縮ファイルを、インクジェットプリンタ１０１に送信するものである。
【００２８】
図６〜図８を参照しつつ、データブロック生成部３２及びデータ圧縮部３３の動作について説明する。図６は、画像記憶部３１が記憶する画像データのデータ構造を示す図である。図７は、画像データを構成するドットデータ要素の構造を示す図である。図８は、データブロック生成部３２が生成するデータブロックのデータ構造を示す図である。なお、図６及び図８においては、インクジェットプリンタ１０１における１印刷周期分のデータ構造のみが示されている。図６に示すように、画像データは、ブラック（Ｋ）、イエロー（Ｙ）、マゼンタ（Ｍ）及びシアン（Ｃ）の各インクジェットヘッド１の各ノズル群ｕ１〜ｕ４について、＃１〜＃６４４のノズル１０８に対応するように配置されたドットデータ要素で形成されている。
【００２９】
図７に示すように、ドットデータ要素は、画像ドットそれぞれのノズル１０８から吐出されるインク滴の数、すなわち、インク吐出量を２ビットのビット配列で示す符号である。本実施形態においては、ノズル１０８から吐出されるインク滴が１滴の場合のドットデータ要素をＳｉｎｇｌｅ（Ｓ）と称し、インク滴が２滴の場合のドットデータ要素をＤｏｕｂｌｅ（Ｄ）と称し、インク滴が３滴の場合のドットデータ要素をＴｒｉｐｌｅ（Ｔ）と称し、インク滴が吐出されない場合のドットデータ要素をＮｏｎｅ（０）と称する。
【００３０】
このような４つのインク吐出量の画像ドットを用いてカラー画像の印刷を行う場合には、画像データにおいて、最も発生頻度が高いインク吐出量の画像ドットを示すドットデータ要素が「００」となり、２番目に発生頻度が高いインク吐出量の画像ドットを示すドットデータ要素が「０１」となる。ドットデータ要素「００」及びドットデータ要素「０１」は、ビット配列における上位ビット（同じ桁）において同じ値「０」をとる。以下、この上位ビットを共通ビットと称する。
【００３１】
データブロック生成部３２は、図８に示すように、画像記憶部３１に記憶された画像データから、画像データに係る全てのドットデータ要素における、共通ビットとビット配列中の同じ桁のビット、即ち上位ビットのビットが連続して配列されているとともに、下位ビットのビットが連続して配列されているデータブロックを生成する。具体的に、図８の例について説明すると、データブロック生成部３２は、図６に示す画像データから、全てのドットデータ要素を上位ビットと下位ビットとに分離し、分離した全ての上位ビット及び下位ビットのそれぞれを、ブラック（Ｋ）、イエロー（Ｙ）、マゼンタ（Ｍ）及びシアン（Ｃ）の各インクジェットヘッド１の各ノズル群ｕ１〜ｕ４について、＃１〜＃６４４のノズル１０８に対応するように連続して配列する。
【００３２】
データブロック生成部３２がデータブロックの生成を完了すると、データ圧縮部３３がデータブロックをデータ圧縮する。データブロック生成部３２は、データブロックをランレングス方式によりデータ圧縮する。ランレングス方式は、データ圧縮法の１つであり、データの中に同じ符号が連続しているときに、その符号と符号の数とでデータを表現する方法である。図８の例の場合、画像データにおいて最も発生頻度が高いインク吐出量の画像ドットを示すドットデータ要素「００」、及び、２番目に発生頻度が高いインク吐出量の画像ドットを示すドットデータ要素「０１」の上位ビット（共通ビット）が共に同じ値「０」をとっているため、上位ビットが連続して配置されたブロックにおいては、符号「０」が連続する頻度が高くなっている。このため、データブロックの圧縮効率が高くなる。
【００３３】
以上、説明した本実施形態によると、データブロック生成部３２が、画像データに係る全てのドットデータ要素における、共通ビットとビット配列中の同じ桁、即ち上位ビットのビットが連続して配列されているとともに、下位ビットのビットが連続して配列されているデータブロックを生成する。このデータブロックにおいては、ビット「０」が連続する頻度が高くなっているため、データ圧縮部３３が、ランレングス方式のデータ圧縮を行うことでデータブロックを効率良く圧縮することができる。これにより、インクジェットプリンタ１０１に対するデータブロックの送信時間を短縮することができる。
【００３４】
以上、本発明の好適な実施形態について説明したが、本発明は上述の実施形態に限られるものではなく、特許請求の範囲に記載した限りにおいて様々な変更が可能なものである。例えば、上述した実施形態においては、データブロック生成部３２が、２ビットのドットデータ要素における、共通ビットとビット配列中の同じ桁である上位ビットのビットが連続して配列されているデータブロックを生成する構成であるが、ドットデータ要素が３ビット以上であってもよい。この場合、画像データの最も発生頻度が高いインク吐出量の画像ドットを示すドットデータ要素、及び、２番目に発生頻度が高いインク吐出量の画像ドットを示すドットデータ要素において、ビット配列中の同じ桁で同じ値を取る共通ビットを複数設定し、データブロック生成部が、各共通ビットとビット配列中の同じ桁のビットがそれぞれ連続して配列されたデータブロックを生成する構成であってもよい。
【００３５】
さらに、上述した実施形態においては、予め決められた共通ビットに基づいてデータブロックを生成する構成であるが、画像データ毎に共通ビットを決定する構成であってもよい。
【００３６】
また、上述した実施形態においては、データ圧縮部３３が、ランレングス方式のデータ圧縮を行う構成となっているが、他の方式でデータ圧縮を行う構成となっていてもよい。例えば、エントロピー符号方式やユニバーサル符号方式でデータ圧縮を行う構成であってもよい。これらの方式でデータ圧縮を行った場合であっても、同一の符号の発生頻度が高データブロックにおいては、圧縮効率が高くなる。
【００３７】
さらに、上述した実施形態においては、制御装置１６がＵＳＢコントローラ３４を介して圧縮ファイルをインクジェットプリンタ１０１に送信する構成であるが、圧縮ファイルを、ＵＳＢ以外の通信手段によってインクジェットプリンタ１０１に送信する構成であってもよい。
【００３８】
加えて、上述した実施形態においては、制御装置１６が、ＰＣ上で起動するプログラムによって実現される構成であるが、ＰＣ以外のコンピュータ上で起動するプログラムによって実現される構成であってもよい。
【図面の簡単な説明】
【００３９】
【図１】本発明の実施形態に係る制御装置の機能ブロック図である。
【図２】図１に示すインクジェットプリンタの外観側面図である。
【図３】図２に示すヘッド本体の平面図である。
【図４】図３に示す一点鎖線で囲まれた領域の拡大図である。
【図５】図４に示すインク吐出面の部分拡大図である。
【図６】図１に示す画像記憶部が記憶する画像データのデータ構造を示す図である。
【図７】図６に示す画像データに係るドットデータ要素の構造を示す図である。
【図８】図１に示すデータブロック生成部が生成したデータブロックのデータ構造を示す図である。
【符号の説明】
【００４０】
１    インクジェットヘッド
１６    制御装置（データ送信装置）
２１    アクチュエータユニット
３１    画像記憶部
３２    データブロック生成部（生成手段）
３３    データ圧縮部（圧縮手段）
３４    ＵＳＢコントローラ（送信手段）
１０１    インクジェットプリンタ（インクジェット記録装置）
１０８    ノズル
【図１】
2009012245.tif 000003
【図２】
2009012245.tif 000004
【図３】
2009012245.tif 000005
【図４】
2009012245.tif 000006
【図５】
2009012245.tif 000007
【図６】
2009012245.tif 000008
【図７】
2009012245.tif 000009
【図８】
2009012245.tif 000010